(57)【特許請求の範囲】
【請求項１】
電子部品が実装された電子回路基板と、
この電子回路基板を収納し、少なくとも第１の筐体部材及び第２の筐体部材からなる筐体と、
外部装置と電気的に接続するためのコネクタと、を備え、
前記コネクタは、前記電子回路基板に固定され基端部が電子回路基板に電気的に接続されているとともに台座に挿入された複数の端子を含むピンヘッダと、前記第１の筐体部材と一体に設けられ、前記端子の前記電子回路基板に沿った方向に延びた先端部を囲ったハウジングと、を有した電子制御装置であって、
前記ピンヘッダ及び前記第１の筐体部材の一方に案内用突起が設けられているとともに、他方に前記案内用突起が係合する案内部が設けられ、
前記案内用突起が前記案内部に沿って相対移動することにより、前記ピンヘッダが回動して前記ハウジングに組み付けられる電子制御装置。
【請求項２】
前記案内用突起は、一対形成されており、この案内用突起は、互いに非平行に対向して一対形成された直線状の前記案内部をそれぞれ摺動する請求項１に記載の電子制御装置。
【請求項３】
前記案内用突起は、一対形成されており、この案内用突起は、互いに等間隔で対向して延びて形成された湾曲状の前記案内部をそれぞれ摺動する請求項１に記載の電子制御装置。
【請求項４】
前記案内用突起は、湾曲状で、この案内用突起は、湾曲状に連続的に形成された一つの前記案内部を摺動する請求項１に記載の電子制御装置。
【請求項５】
前記案内部は、前記ピンヘッダの両側に前記端子が延びる方向に沿って形成された側面部に設けられている請求項１〜４の何れか１項に記載の電子制御装置。
【請求項６】
前記案内用突起は、前記ピンヘッダの両側に前記端子が延びる方向に沿って形成された側面部に設けられている請求項１〜４の何れか１項に記載の電子制御装置。
【請求項７】
前記案内部のうち、開口した始端部の反対側であって前方が閉ざされた終端部に、内側に突出した固定用突起が形成され、前記案内用突起は、乗り越えた前記固定用突起に固定される請求項１〜６の何れか１項に記載の電子制御装置。
【請求項８】
前記案内部のうち、開口した始端部の反対側であって前方が閉ざされた終端部に、前記案内用突起が圧入される狭幅部が形成されている請求項１〜６の何れか１項に記載の電子制御装置。
【請求項９】
請求項１に記載の電子制御装置の製造方法であって、
前記電子回路基板に前記ピンヘッダを搭載する搭載工程と、
前記第１の筐体部材に対して前記電子回路基板を傾斜した状態で前記案内部に前記案内用突起を係合する係合工程と、
前記案内部に前記案内用突起を係合した状態で前記電子回路基板を回動させて前記第１の筐体部材に組付けると同時に、前記ピンヘッダも回動して前記ハウジングに組み付ける組付け工程と、を備えた電子制御装置の製造方法。
【発明の詳細な説明】
【技術分野】
【０００１】
この発明は、ピンヘッダが搭載された電子回路基板が筐体内に収納された電子制御装置、及びその製造方法に関するものである。
【背景技術】
【０００２】
車輌などの制御に用いられる電子制御装置は、一般的に入出力回路、通信回路、マイコン、電源回路などの電子部品が電子回路基板上に搭載されているとともに、外部装置との接続用のコネクタが電子回路基板に設置され、この電子回路基板が筐体に収容されている。
そして、この電子制御装置は、上下に分かれた、ベース及びコネクタが一体となったカバーを用い、電子回路基板を挟み込み、ベース、カバーの合わせ面が防水シール材等で接着されている。
【０００３】
さらに、コネクタとして、端子を樹脂製の台座に挿入したピンヘッダと、端子の先端部を囲ったハウジングとを別体構造とし、予め電子回路基板上に、ピンヘッダのみを搭載し、その後ピンヘッダと対応する位置にハウジングを組付けることによりコネクタが製造されるものが知られている（例えば、特許文献１参照）。
この技術を上記電子制御装置の構造に応用し、電子回路基板に予めピンヘッダを搭載しておき、ベース、及びコネクタのハウジングが一体となったカバーを用いて電子回路基板を挟み込み、ベース、カバーの合わせ面を防水シール材等で接着した電子制御装置、及びその組立方法が知られている。
【先行技術文献】
【特許文献】
【０００４】
【特許文献１】特開平２−６６８６５号公報
【発明の概要】
【発明が解決しようとする課題】
【０００５】
しかしながら、上記構成の電子制御装置は、ハウジングが一体となったカバーにピンヘッダが搭載された電子回路基板を組付ける際に、ピンヘッダが干渉しないようにする必要があり、必然的にコネクタの開口方向は、電子回路基板の実装面に対し垂直方向に制約されるという問題点があった。
また、ハウジング内での端子の先端部の位置が比較的奥まっている構造のコネクタでは、ピンヘッダが電子回路基板の外形からはみ出さない範囲であれば、例外的にコネクタの開口方向を電子回路基板の実装面に対し水平方向にできる場合もあるが、採用するコネクタの形状により制約があり、選択できるコネクタは極めて限られるという問題点があった。
【０００６】
この発明は、かかる問題点を解決することを課題とするものであって、上記制約から開放され、コネクタのハウジングが筐体部材と一体であって電子回路基板が一対の筐体部材で挟まれた電子制御装置であっても、コネクタの開口方向を電子回路基板に沿った方向にすることが可能な電子制御装置、及びその製造方法を得ることを目的とする。
【課題を解決するための手段】
【０００７】
この発明に係る電子制御装置は、
電子部品が実装された電子回路基板と、
この電子回路基板を収納し、少なくとも第１の筐体部材及び第２の筐体部材からなる筐体と、
外部装置と電気的に接続するためのコネクタと、を備え、
前記コネクタは、前記電子回路基板に固定され基端部が電子回路基板に電気的に接続されているとともに台座に挿入された複数の端子を含むピンヘッダと、前記第１の筐体部材と一体に設けられ、前記端子の前記電子回路基板に沿った方向に延びた先端部を囲ったハウジングと、を有した電子制御装置であって、
前記ピンヘッダ及び前記第１の筐体部材の一方に案内用突起が設けられているとともに、他方に前記案内用突起が係合する案内部が設けられ、
前記案内用突起が前記案内部に沿って相対移動することにより、前記ピンヘッダが回動して前記ハウジングに組み付けられる。
【０００８】
また、この発明に係る電子制御装置の製造方法は、
電子回路基板にピンヘッダを搭載する搭載工程と、
第１の筐体部材に対して前記電子回路基板を傾斜した状態で案内部に前記案内用突起を係合する係合工程と、
前記案内部に前記案内用突起を係合した状態で前記電子回路基板を回動させて前記第１の筐体部材に組付けると同時に、前記ピンヘッダも回動してハウジングに組み付ける組付け工程と、を備えている。
【発明の効果】
【０００９】
この発明に係る電子制御装置によれば、ピンヘッダ及び第１の筐体部材の一方に設けられた案内用突起が他方に設けられた案内部に沿って相対移動することにより、ピンヘッダは所定の軌道を回動してハウジングに組み付けられる。
従って、コネクタのハウジングが筐体部材と一体であって電子回路基板が一対の筐体部材で挟まれた電子制御装置であっても、コネクタの開口方向を電子回路基板に沿った方向とする電子制御装置を得ることができる。
【００１０】
また、この発明に係る電子制御装置の製造方法によれば、案内部に案内用突起を係合した状態で電子回路基板を回動させて第１の筐体部材に組付けると同時に、ピンヘッダも回動してハウジングに組み付ける組付け工程を備えている。
従って、電子回路基板を回動させて第１の筐体部材に組付けることで、そのままピンヘッダがコネクタのハウジングに組み付けられ、コネクタの開口方向を電子回路基板に沿った方向とする電子制御装置を簡単に製造することができる。
【図面の簡単な説明】
【００１１】
【図１】この発明の実施の形態１における電子制御装置を示す斜視図である。
【図２】図１の電子制御装置の分解斜視図である。
【図３】図２のカバーを内側から視たときの斜視図である。
【図４】図１の電子制御装置においてカバーに電子回路基板を組付ける各工程を示す要部断面図である。
【図５】図１の案内溝を示す詳細図である。
【図６】図１の案内溝の変形例を示す図である。
【図７】図１の案内溝のさらに異なる変形例を示す図である。
【図８】この発明の実施の形態２における電子制御装置の要部を示す側面図である。
【図９】この発明の実施の形態３における電子制御装置の要部を示す側断面図である。
【発明を実施するための形態】
【００１２】
以下、この発明の各実施の形態の電子制御装置を図に基づいて説明するが、各図において同一、または相当部材、部位については同一符号を付して説明する。
【００１３】
実施の形態１．
図１はこの発明の実施の形態１における電子制御装置１を示す斜視図、図２は図１の電子制御装置１の分解斜視図、図３は図２のカバー２を内側から視たときの斜視図である。
この電子制御装置１１は、例えば、エンジンルームのエンジンに搭載されており、筐体と、この筐体内に収納された電子回路基板３とを備えている。
上記筐体は、第１の筐体部材であるカバー２と第２の筐体部材であるベース６とからなる上下分割式の構造である。カバー２は、例えば、ＰＢＴ樹脂等で形成され、ベース６は、例えばアルミニウム，ステンレス鋼，ＰＢＴ樹脂等で形成されている。
上記電子回路基板３には、電子部品９、複数の端子５が台座４ｂに挿入されたピンヘッダ４が実装されている。Ｌ字状に折曲された各端子５の基端部は、電子回路基板３のスルーホール３ａに挿入され電子回路基板３と電気的に接続されている。各端子５の先端部は、電子回路基板３の搭載面に平行に延びており、外部装置（図示せず）と電気的に接続される。
【００１４】
台座４ｂの両側には、３角形状であって端子５の先端部と同方向に延びた側面部４ａが設けられている。この側面部４ａには、互いに非平行に対向した第１の案内部である第１の案内溝８ａ及び第２の案内部である第２の案内溝８ｂが形成されている。
直線状の、第１の案内溝８ａ及び第２の案内溝８ｂは、それぞれ始端部では開口し、始端部の反対側の終端部では前方が閉ざされている。
また、各端子５の先端部は、カバー２と一体のハウジング１４で囲まれ、ハウジング１４の開口部１２に臨んでいる。
ここで、ピンヘッダ４及びハウジング１４によりコネクタ１３を構成している。
【００１５】
カバー２には、支持部７が対向して一対形成されている。各支持部７には、第１の案内溝８ａに係合する第１の案内用突起７ａ、第２の案内溝８ｂに係合する第２の案内用突起７ｂがそれぞれ形成されている。
なお、この実施の形態では、ピンヘッダ４が並設されており、それぞれの側面部４ａに第１の案内溝８ａ、第２の案内溝８ｂが形成されているものの、第１の案内用突起７ａ、第２の案内用突起７ｂに係合するのは、それぞれ外側の側面部４ａに形成された第１の案内溝８ａ、第２の案内溝８ｂである。
【００１６】
次に、カバー２に電子回路基板３を組付ける手順について図４を用いて説明する。
各端子５は、ピンヘッダ４の台座４ｂの所定位置にアウトサート等で挿入される。
続いて、このピンヘッダ４の端子５の基端部をスルーホール３ａに挿入し、電子回路基板３と電気的に接続する。
この後、カバー２の支持部７の第１の案内用突起７ａ、第２の案内用突起７ｂに、ピンヘッダ４の側面部４ａに形成した第１の案内溝８ａ、第２の案内溝８ｂの先端を合わせる（図４（ａ））。
次に、電子回路基板３を矢印Ａの方向に回動させることで、第１の案内用突起７ａ、第２の案内用突起７ｂは、第１の案内溝８ａ、第２の案内溝８ｂに沿って相対的に摺動し（図４（ｂ））、最後は第１の案内用突起７ａ、第２の案内用突起７ｂは、第１の案内溝８ａ、第２の案内溝８ｂのそれぞれの終端部に当接し、電子回路基板３は、カバー２に組付けられる（図４（ｃ））。
その際、ピンヘッダ４がコネクタ１３のハウジング１４の開口部１２に同時に組み付けられる。
なお、電子回路基板３は、一対あるピンヘッダ４の両側の一対の側面部４ａを介してカバー３に回動支持されているので、安定した回動軌道を描くことができる。
【００１７】
次に、図５を用いて第１の案内溝８ａ、第２の案内溝８ｂの詳細形状について説明する。
図５において、図４（ａ）では、第１の案内用突起７ａ、第２の案内用突起７ｂは、第１の案内溝始端部８ａ１、第２の案内溝始端部８ｂ１に位置している。
図４（ｃ）では、第１の案内用突起７ａ、第２の案内用突起７ｂは、第１の第１の案内溝終端部８ａ２、第２の案内溝終端部８ｂ２に位置している。
このときの第１の案内溝始端部８ａ１と第２の案内溝始端部８ｂ１との間隔ｘと、第１の案内溝終端部８ａ２と第２の案内溝終端部８ｂ２との間隔ｙとの関係は、間隔が一定の第１の案内用突起７ａ、第２の案内用突起７ｂがそれぞれ第１の案内溝８ａ、第２の案内溝８ｂを通過することから分かるように、ｘ＝ｙとなる。
また、第１の案内溝始端部８ａ１と第２の案内溝始端部８ｂ１とを結ぶ線と、第１の案内溝終端部８ａ２と第２の案内溝終端部８ｂ２とを結ぶ線とが交差する角度はｐである。
【００１８】
なお、第１の案内溝、第２の案内溝を互いに等間隔で対向して湾曲状に延びて形成し、この第１の案内溝、第２の案内溝にそれぞれ第１の案内用突起、第２の案内用突起を摺動させるようにしてもよい。
このものの場合、直線状の第１の案内溝８ａ及び第２の案内溝８ｂと比較して寸法管理が簡単である利点がある。
【００１９】
なお、図６は、実施の形態１の第１の案内溝８ａ、第２の案内溝８ｂの変形例を示す図である。
この第１の案内溝８ａ、第２の案内溝８ｂは、終端部に、内側に突出した固定用突起１０が形成され、第１の案内用突起７ａ、第２の案内用突起７ｂは、乗り越えた固定用突起１０により固定され、カバー２とピンヘッダ４とは結合される。
【００２０】
また、図７は、実施の形態１の第１の案内溝８ａ、第２の案内溝８ｂのさらに異なる変形例を示す図である。
この第１の案内溝８ａ、第２の案内溝８ｂは、終端部に、狭幅部１１が形成されている。この狭幅部１１の幅寸法は、第１の案内用突起７ａ、第２の案内用突起７ｂの直径よりも小さく、第１の案内用突起７ａ、第２の案内用突起７ｂが狭幅部１１に圧入されることで、カバー２とピンヘッダ４とは結合される。
【００２１】
この実施の形態による電子制御装置１によれば、カバー２に設けられた第１の案内用突起７ａ、第２の案内用突起７ｂがピンヘッダ４に設けられた第１の案内溝８ａ、第２の案内溝８ｂに沿って摺動することにより、電子回路基板３が回動運動してカバー２に組み付けられる。
従って、コネクタ１３のハウジング１４がカバー２と一体であって電子回路基板３がベース６で挟まれた電子制御装置１であっても、端子５の先端部は、カバー２に邪魔されることなくハウジング１４の開口部１２に臨むことができる、即ちコネクタ１３の開口方向を電子回路基板３に沿った方向とする電子制御装置１を得ることができる。
【００２２】
また、第１の案内溝８ａ、第２の案内溝８ｂは、ピンヘッダ４の両側に端子５が延びる方向に沿って形成された側面部４ａに設けられている。
従って、コネクタ１３は、嵌合対象のコネクタ（図示せず）と嵌合する際に大きな荷重が加わり、当然ピンヘッダ４にも大きな応力が発生するが、端子５が延びる方向に沿って形成された側面部４ａは、その応力に抗することができ、ピンヘッダ４の剛性が向上する。
【００２３】
また、電子回路基板３の回動は、第１の案内溝８ａ、第２の案内溝８ｂに係合した、第１の案内用突起７ａ、第２の案内用突起７ｂの２点で規制されるので、ピンヘッダ４は、回動途中においてぶれることなく一定の軌道に沿って回動し、端子５の先端部が、カバー２の壁面に接触し、破損するような事態の発生を防止することができる。
【００２４】
また、この実施の形態による電子制御装置１の製造方法によれば、電子回路基板３にピンヘッダ４を搭載する搭載工程と、カバー２に対して電子回路基板３を傾斜した状態で第１の案内溝８ａ、第２の案内溝８ｂに第１の案内用突起７ａ、第２の案内用突起７ｂを係合する係合工程と、第１の案内溝８ａ、第２の案内溝８ｂに第１の案内用突起７ａ、第２の案内用突起７ｂを係合した状態で電子回路基板３を回動させてカバー２に組付けると同時に、ピンヘッダ４も回動してハウジング１４に組み付ける組付け工程と、を備えている。
従って、電子回路基板３を回動させてカバー２に組付けることで、そのままピンヘッダ４がコネクタ１３のハウジング１４に組み付けられ、コネクタ１３の開口方向を電子回路基板３の搭載面と平行とする電子制御装置１を簡単に製造することができる。
【００２５】
実施の形態２．
図８はこの発明の実施の形態２における電子制御装置１の要部を示す側面図である。
この実施の形態では、案内溝８は、湾曲状に一本形成されている。この案内溝８に係合する案内用突起７ｃも湾曲状である。
他の構成は、実施の形態１の電子制御装置１と同じである。
【００２６】
この実施の形態では、電子回路基板３を回動させることで、案内用突起７ｃは、案内溝８ｃに沿って相対的に摺動し、電子回路基板３は、カバー２に組付けられる。
この案内用突起７ｃは、湾曲状であり、案内用突起７ｃは、案内溝８ｃと面接触しており、電子回路基板３の回動の際に、その動きは規制されるので、ピンヘッダ４は、回動途中においてぶれることなく一定の軌道に沿って回動し、端子５の先端部が、カバー２の壁面に接触し、破損するような事態の発生を防止することができる。
なお、この実施の形態でも、図６に示した固定用突起１０を案内溝８ｃの終端部に形成することで、案内用突起７ｃは、乗り越えた固定用突起１０により固定され、カバー２とピンヘッダ４とを結合するようにしてもよい。
また、図７に示した狭幅部１１を案内溝８ｃの終端部に形成し、この狭幅部１１に案内用突起７ｃを圧入してカバー２とピンヘッダ４とを結合するようにしてもよい。
【００２７】
実施の形態３．
図９はこの発明の実施の形態３における電子制御装置１の要部を示す側断面図である。
この実施の形態では、ピンヘッダ４の側面部４ａに第１の案内用突起７ｄ、第２の案内用突起７ｅが設けられ、この第１の案内用突起７ｄ、第２の案内用突起７ｅに係合する第１の案内溝８ｄ、第２の案内溝８ｅがカバー２に設けられている。
他の構成は、実施の形態１の電子制御装置１と同じである。
この実施の形態では、第１の案内用突起７ｄ、第２の案内用突起７ｅがピンヘッダ４に、第１の案内溝８ｄ、第２の案内溝８ｅがカバー２に設けられ、それぞれの形成箇所が実施の形態１のものと替わっているが、この実施の形態の電子制御装置１でも、実施の形態１と同様の効果を得ることができる。
【００２８】
なお、上記各実施の形態では、案内部として案内溝の例で説明したが、案内溝の代わりに案内孔を用いてもよい。
また、この発明は、筐体に対してコネクタ１３のハウジング１４の開口部１２が水平方向に指向した電子制御装置１に限定されるものではなく、電子回路基板３に対して例えば４５度の角度でハウジング１４の開口部１２が指向した電子制御装置１にも適用できる。
また、筐体は、カバー２及びベース６の上下二分割式の例は一例であり、例えば三分割式の筐体であってもよい。
【符号の説明】
【００２９】
１  電子制御装置、２  カバー（第１の筐体部材）、３  電子回路基板、３ａ  スルーホール、４  ピンヘッダ、４ａ  側面部、４ｂ  台座、５  端子、６  ベース（第２の筐体部材）、７  支持部、７ａ，７ｄ  第１の案内用突起、７ｂ，７ｅ  第２の案内用突起、７ｃ  案内用突起、８ａ，８ｄ  第１の案内溝（案内部）、８ｂ，８ｅ  第２の案内溝（案内部）、８ｃ  案内溝（案内部）、９  電子部品、１０  固定用突起、１１  狭幅部、１２  開口部、１３  コネクタ、１４  ハウジング。
【要約】
【課題】コネクタの開口方向が電子回路基板に沿った方向が可能な電子制御装置を得る。
【解決手段】この発明に係る電子制御装置は、カバー２に第１の案内用突起７ａ、第２の案内用突起７ｂが形成され、ピンヘッダ４に第１の案内用突起７ａ、第２の案内用突起７ｂが係合する第１の案内溝８ａ、第２の案内溝８ｂが形成されている。第１の案内用突起７ａ、第２の案内用突起７ｂが第１の案内溝８ａ、第２の案内溝８ｂに沿って移動することにより、ピンヘッダ４が回動してハウジング１４に組み付けられる。
【選択図】図４【図１】
0005575314.tif 000002
【図２】
0005575314.tif 000003
【図３】
0005575314.tif 000004
【図４】
0005575314.tif 000005
【図５】
0005575314.tif 000006
【図６】
0005575314.tif 000007
【図７】
0005575314.tif 000008
【図８】
0005575314.tif 000009
【図９】
0005575314.tif 000010